(57)【要約】【課題】  ユーザの手間を少なくし、かつ、録画した番組の中からユーザが好む映像を簡単に見つけることが可能な番組記録再生装置、番組管理方法を提供する。【解決手段】  番組格納部４１は、チューナ２から入力する番組とその番組内容を示し番組内容情報とを格納し、グループ分け情報格納部４２はユーザにより設定された番組グループ分け情報を格納する。制御部３は、番組グループ分け情報に基づいて番組格納部４１に格納されている番組のグループ分けを行う。【選択図】      図１
2005102058.tif 000002
【特許請求の範囲】
【請求項１】
格納した番組をグループ単位で管理する番組記録再生装置であって、
番組を格納する番組格納部と、
ユーザにより設定された番組グループ分け情報を格納するグループ分け情報格納部と、
前記番組グループ分け情報に基づいて前記番組のグループ分けを行うグループ分け制御部とを含むことを特徴とする番組記録再生装置。
【請求項２】
請求項１に記載の番組記録再生装置において、
前記番組格納部に格納された番組の番組内容および前記番組格納部に格納することがユーザにより予約された番組の番組内容を示す番組内容情報を格納する番組内容情報格納部をさらに含み、
前記グループ分け制御部は、前記番組グループ分け情報および前記番組内容情報とに基づいて番組のグループ分けを行うことを特徴とする番組記録再生装置。
【請求項３】
請求項２に記載の番組記録再生装置において、
前記番組内容情報は、前記番組の番組名を示す番組名情報を含み、
前記グループ分け制御部は、前記グループ分け情報および前記番組内容情報とに基づいて前記番組内容情報によって番組内容が示される番組の中で同一番組名の番組を同一のグループにグループ分けすることを特徴する番組記録再生装置。
【請求項４】
請求項３に記載の番組記録再生装置において、
前記番組格納部が同一のグループにグループ分けされた同一番組名の複数の番組を格納している際に、その中の特定の番組についてユーザがブックマークを付与することを指定した場合には、同一番組名の他の番組については同じ位置にブックマークを付与するブックマーク付与部をさらに含むことを特徴とする番組記録再生装置。
【請求項５】
請求項４に記載の番組記録再生装置において、
前記ブックマーク付与部は、前記他の番組に対してブックマークを付与することを、前記ユーザが特定の番組にブックマークを付与した際の番組経過時間に基づいて行うことを特徴とする番組記録再生装置。
【請求項６】
請求項４に記載の番組記録再生装置において、
前記ブックマーク付与部は、前記他の番組に対してブックマークを付与する際、前記ユーザが指定した位置にブックマークが付与された番組におけるブックマーク付与位置に応じた画面構成に基づいて前記他の番組に前記ブックマークを付与することを特徴とする番組記録再生装置。
【請求項７】
格納した番組にブックマークを付与して該番組を管理する番組記録再生装置であって、
同一番組名の複数の番組を格納する番組格納部と、
前記番組格納部に格納された番組の番組名を示す番組名情報を格納する番組名情報格納部と、
前記番組格納部が格納している番組の中の特定の番組についてユーザがブックマークを付与することを指定した場合には、同一番組名の他の番組については同じ位置にブックマークを付与するブックマーク付与部とを含むことを特徴とする番組記録再生装置。
【請求項８】
請求項７に記載の番組記録再生装置において、
前記ブックマーク付与部は、前記他の番組に対してブックマークを付与することを、前記ユーザが特定の番組にブックマークを付与した際の番組経過時間に基づいて行うことを特徴とする番組記録再生装置。
【請求項９】
請求項７に記載の番組記録再生装置において、
前記ブックマーク付与部は、前記他の番組に対してブックマークを付与する際、前記ユーザが指定した位置にブックマークが付与された番組におけるブックマーク付与位置に応じた画面構成に基づいて前記他の番組に前記ブックマークを付与することを特徴とする番組記録再生装置。
【請求項１０】
格納した番組をグループ単位で管理する番組記録再生装置が行う番組管理方法であって、
番組を番組格納部に格納する番組格納ステップと、
ユーザにより設定された番組グループ分け情報をグループ分け情報格納部に格納するグループ分け情報格納ステップと、
前記番組グループ分け情報に基づいて前記番組のグループ分けを行うグループ分けステップとを含むことを特徴とする番組管理方法。
【請求項１１】
請求項１０に記載の番組管理方法において、
前記番組格納部に格納した番組の番組内容および前記番組格納部に格納することがユーザにより予約された番組の番組内容を示す番組内容情報を番組内容情報格納部に格納する番組内容情報格納ステップをさらに含み、
前記グループ分けステップは、前記番組グループ分け情報および前記番組内容情報とに基づいて番組のグループ分けを行うことを特徴とする番組管理方法。
【請求項１２】
請求項１１に記載の番組管理方法において、
前記番組内容情報は、前記番組の番組名を示す番組名情報を含み、
前記グループ分けステップは、前記グループ分け情報および前記番組内容情報とに基づいて番組の中で同一番組名の番組を同一のグループにグループ分けすることを特徴する番組管理方法。
【請求項１３】
請求項１２に記載の番組管理方法において、
前記番組格納部が同一のグループにグループ分けされた同一番組名の複数の番組を格納している際に、その中の特定の番組についてユーザがブックマークを付与することを指定した場合には、同一番組名の他の番組については同じ位置にブックマークを付与するブックマーク付与ステップをさらに含むことを特徴とする番組管理方法。
【請求項１４】
請求項１３に記載の番組管理方法において、
前記ブックマーク付与ステップは、前記他の番組に対してブックマークを付与することを、前記ユーザが特定の番組にブックマークを付与した際の番組経過時間に基づいて行うことを特徴とする番組管理方法。
【請求項１５】
請求項１３に記載の番組管理方法において、
前記ブックマーク付与ステップは、前記他の番組に対してブックマークを付与する際、前記ユーザが指定した位置にブックマークが付与された番組におけるブックマーク付与位置に応じた画面構成に基づいて前記他の番組に前記ブックマークを付与することを特徴とする番組管理方法。
【請求項１６】
格納した番組にブックマークを付与して該番組を管理する番組記録再生装置が行う番組管理方法であって、
同一番組名の複数の番組を番組格納部に格納する番組格納ステップと、
前記格納された番組の番組名を示す番組名情報を番組名情報格納部に格納する番組名情報格納ステップと、
前記番組格納部が格納している番組の中の特定の番組についてユーザがブックマークを付与することを指定した場合には、同一番組名の他の番組については同じ位置にブックマークを付与するブックマーク付与ステップとを含むことを特徴とする番組管理方法。
【請求項１７】
請求項１６に記載の番組管理方法において、
前記ブックマーク付与ステップは、前記他の番組に対してブックマークを付与することを、前記ユーザが特定の番組にブックマークを付与した際の番組経過時間に基づいて行うことを特徴とする番組管理方法。
【請求項１８】
請求項１６に記載の番組管理方法において、
前記ブックマーク付与ステップは、前記他の番組に対してブックマークを付与する際、前記ユーザが指定した位置にブックマークが付与された番組におけるブックマーク付与位置に応じた画面構成に基づいて前記他の番組に前記ブックマークを付与することを特徴とする番組管理方法。
【請求項１９】
格納した番組をグループ単位で管理する番組管理処理をコンピュータに実行させるプログラムであって、
番組を番組格納部に格納する番組格納処理と、
ユーザにより設定された番組グループ分け情報をグループ分け情報格納部に格納するグループ分け情報格納処理と、
前記番組グループ分け情報に基づいて前記番組のグループ分けを行うグループ分け処理とを含む番組管理処理をコンピュータに実行させることを特徴とするプログラム。
【請求項２０】
格納した番組にブックマークを付与して該番組を管理する番組管理処理をコンピュータに実行させるプログラムであって、
同一番組名の複数の番組を番組格納部に格納する番組格納処理と、
前記格納された番組の番組名を示す番組名情報を番組名情報格納部に格納する番組名情報格納処理と、
前記番組格納部が格納している番組の中の特定の番組についてユーザがブックマークを付与することを指定した場合には、同一番組名の他の番組については同じ位置にブックマークを付与するブックマーク付与処理とを含むブックマーク付与処理をコンピュータに実行させることを特徴とするプログラム。
【請求項２１】
請求項１９に記載のプログラムおよび／または請求項２０に記載のプログラムを記録してあることを特徴とするコンピュータ読み取り可能な記録媒体。
【発明の詳細な説明】
【技術分野】
【０００１】
本発明は、番組記録再生装置、番組管理方法、プログラムおよび記録媒体に関する。
【背景技術】
【０００２】
近年、ハードディスク内蔵型番組記録再生装置またはテレビジョン番組受信機能付きパーソナルコンピュータなどの番組記録再生装置は、ハードディスク等の番組記録用記録媒体の大容量化が進み、多くの番組を録画できるようになってきている。
【０００３】
番組記録用記録媒体の大容量化に伴い、とりあえず複数の番組を記録媒体に録画しておき、その後、録画した複数の番組の中からユーザが好む映像を選んで観るというスタイルが確立されつつある。このスタイルの一例としては、例えば、録画した複数の番組の中からユーザが好みの番組を選んで観る、または録画した複数の番組の中から特定の番組が有するユーザ好みのコーナーを選んで観るというものである。
【０００４】
録画した複数の番組の中からユーザが好む映像を選んで観るというスタイルの場合、番組記録再生装置において、録画した複数の番組の中からユーザが好む映像を簡単に見つけることを可能にする番組管理が望まれる。
【０００５】
録画した複数の番組の中からユーザが好む番組を簡単に見つけるための番組管理手法としては、同じような内容の複数の番組を１つのグループにまとめる番組管理が考えられ、この番組管理を行うことにより、ユーザは１つのグループまとめられた同じような内容の複数の番組の中からユーザが好む番組を見つけることが可能となる。
【０００６】
番組のグループ分けの一例としては、録画した複数の番組のそれぞれを人為的にグループ分けすることが考えられる。
【０００７】
番組のグループ分けの他の例としては、特許文献１（特開平９−２５２４４６号公報）に記載されたグループ分け方法がある。特許文献１に記載されたグループ分け方法は、予め録画してある複数の番組を、放送局から送信されてくる番組のガイド情報が示すグループ分け情報に基づいて自動的にグループ分けする方法である。
【０００８】
また、録画した複数番組の中の特定番組が有するユーザ好みのコーナーを簡単に見つけるための番組管理手法としては、録画した複数番組の中の特定の番組が有するユーザ好みのコーナーが始まる位置にブックマークを付与するという番組管理が考えられる。
【０００９】
番組へのブックマーク付与の一例としては、録画した複数番組の中の特定番組が有するユーザ好みのコーナーが始まる位置に人為的にブックマークを付与することが考えられる。
【特許文献１】特開平９−２５２４４６号公報
【発明の開示】
【発明が解決しようとする課題】
【００１０】
しかしながら、録画した複数の番組のそれぞれを人為的にグループ分けする場合、ユーザが好むようなグループ分けはできるが、グループ分けに非常に手間がかかってしまう。
【００１１】
また、特許文献１に記載の手法では、予め録画してある複数の番組を、放送局から送信されてくる番組のガイド情報が示すグループ分け情報に基づいて自動的にグループ分けするので、グループ分け作業に対するユーザの手間は解消されるが、ユーザが好むようなグループ分け（例えば、番組のガイド情報が示すグループ分け情報より細かいグレープ分け）を行うことはできず、録画した複数の番組の中からユーザが好む映像を簡単に見つけることが困難となってしまう。
【００１２】
また、録画した複数番組の中の特定番組が有するユーザ好みのコーナーが始まる位置に人為的にブックマークを付与する場合、さらに言えば、番組のガイド情報が示すグループ分け情報より細かいグレープ分けを行うために、録画した複数番組の中の特定番組が有するユーザ好みのコーナーが始まる位置に人為的にブックマークを付与する場合、ユーザが好むようなブックマーク付与はできるが、ブックマーク付与に非常に手間がかかってしまう。
【００１３】
本発明の目的は、ユーザの手間を少なくし、かつ、録画した番組の中からユーザが好む映像を簡単に見つけることが可能な番組記録再生装置、番組管理方法を提供することである。
【課題を解決するための手段】
【００１４】
上記の目的を達成するために、本発明の番組記録再生装置は、格納した番組をグループ単位で管理する番組記録再生装置であって、番組を格納する番組格納部と、ユーザにより設定された番組グループ分け情報を格納するグループ分け情報格納部と、前記番組グループ分け情報に基づいて前記番組のグループ分けを行うグループ分け制御部とを含むことを特徴とする。
【００１５】
また、本発明の番組管理方法は、格納した番組をグループ単位で管理する番組記録再生装置が行う番組管理方法であって、番組を番組格納部に格納する番組格納ステップと、ユーザにより設定された番組グループ分け情報をグループ分け情報格納部に格納するグループ分け情報格納ステップと、前記番組グループ分け情報に基づいて前記番組のグループ分けを行うグループ分けステップとを含むことを特徴とする。
【００１６】
本発明の番組記録再生装置および本発明の番組管理方法によれば、グループ分け情報をユーザが好むように設定でき、グループ分け制御部が、またはグループ分けステップで、ユーザが好むグループ分け情報を用いて番組格納部に格納された番組のグループ分けを自動的に行うので、番組格納部に格納された番組をユーザが望むグループに属させることができ、かつ、番組格納部に格納された番組のグループ分けを行う際のユーザの手間を少なくできる。よって、ユーザの手間を少なくし、かつ、番組格納部に格納された番組の中からユーザが好む映像を簡単に見つけることが可能となる。
【００１７】
また、前記番組格納部に格納された番組の番組内容および前記番組格納部に格納されることが予約された番組の番組内容を示す番組内容情報を番組内容情報格納部に格納し、前記グループ分け制御部または前記グループ分けステップが、前記番組グループ分け情報および前記番組内容情報とに基づいて前記番組のグループ分けを行うようにしてもよい。この場合、格納予約された番組についても、ユーザが望むグループに属させることができ、かつ、番組のグループ分けを行う際のユーザの手間を少なくできる。
【００１８】
また、前記番組内容情報は、前記番組の番組名を示す番組名情報を含み、前記グループ分け制御部または前記グループ分けステップは、前記グループ分け情報および前記番組内容情報とに基づいて前記番組内容情報によって番組内容が示される番組の中で同一番組名の番組を同一のグループにグループ分けすることが望ましい。この場合、同一番組名の番組を同一のグループにすることが可能となる。
【００１９】
また、前記番組格納部が同一のグループにグループ分けされた同一番組名の複数の番組を格納している際に、その中の特定の番組についてユーザがブックマークを付与することを指定した場合には、同一番組名の他の番組については同じ位置にブックマークを付与するブックマーク付与部またはブックマーク付与ステップをさらに含むことが望ましい。この場合、ブックマーク付与位置をユーザが好むように設定でき、ブックマークが付与された番組と同一の番組名の他の番組のそれぞれにブックマークをユーザが付与する手間を無くすことが可能となる。よって、ユーザの手間を少なくし、かつ、番組格納部に格納された番組の中からユーザが好む映像を簡単に見つけることが可能となる。
【００２０】
また、本発明の番組記録再生装置は、格納した番組にブックマークを付与して該番組を管理する番組記録再生装置であって、同一番組名の複数の番組を格納する番組格納部と、前記番組格納部に格納された番組の番組名を示す番組名情報を格納する番組名情報格納部と、前記番組格納部が格納している番組の中の特定の番組についてユーザがブックマークを付与することを指定した場合には、同一番組名の他の番組については同じ位置にブックマークを付与するブックマーク付与部とを含むことを特徴とする。
【００２１】
また、本発明の番組管理方法は、格納した番組にブックマークを付与して該番組を管理する番組記録再生装置が行う番組管理方法であって、同一番組名の複数の番組を番組格納部に格納する番組格納ステップと、前記格納された番組の番組名を示す番組名情報を番組名情報格納部に格納する番組名情報格納ステップと、前記番組格納部が格納している番組の中の特定の番組についてユーザがブックマークを付与することを指定した場合には、同一番組名の他の番組については同じ位置にブックマークを付与するブックマーク付与ステップとを含むことを特徴とする。
【００２２】
本発明の番組記録再生装置および本発明の番組管理方法によれば、ブックマーク付与位置をユーザが好むように設定でき、かつ、ブックマークが付与された番組と同一の番組名の他の番組のそれぞれにブックマークをユーザが付与する手間を無くすことが可能となる。よって、ユーザの手間を少なくし、かつ、番組格納部に格納された番組の中からユーザが好む映像を簡単に見つけることが可能となる。
【００２３】
また、前記他の番組に対してブックマークを付与することを、前記ユーザが特定の番組にブックマークを付与した際の番組経過時間に基づいて行うことが望ましい。
【００２４】
また、前記他の番組に対してブックマークを付与する際、前記ユーザが指定した位置にブックマークが付与された番組におけるブックマーク付与位置に応じた画面構成に基づいて前記他の番組に前記ブックマークを付与することが望ましい。この場合、例えば、同一の番組名の複数の番組において特定のコーナが特定のフレームから始まるような場合、同一の番組名の複数の番組の中の１つの番組の特定のコーナーの開始部分にブックマークを付与すれば、同一番組名の他の番組において特定のコーナーの開始時間が異なることがあっても、特定のコーナーの開始部分にブックマークを付与することが可能となる。
【００２５】
また、本発明のプログラムは、格納した番組をグループ単位で管理する番組管理処理をコンピュータに実行させるプログラムであって、番組を番組格納部に格納する番組格納処理と、ユーザにより設定された番組グループ分け情報をグループ分け情報格納部に格納するグループ分け情報格納処理と、前記番組グループ分け情報に基づいて前記番組のグループ分けを行うグループ分け処理とを含む番組管理処理をコンピュータに実行させることを特徴とする。
【００２６】
また、本発明のプログラムは、格納した番組にブックマークを付与して該番組を管理する番組管理処理をコンピュータに実行させるプログラムであって、同一番組名の複数の番組を番組格納部に格納する番組格納処理と、前記格納された番組の番組名を示す番組名情報を番組名情報格納部に格納する番組名情報格納処理と、前記番組格納部が格納している番組の中の特定の番組についてユーザがブックマークを付与することを指定した場合には、同一番組名の他の番組については同じ位置にブックマークを付与するブックマーク付与処理とを含むブックマーク付与処理をコンピュータに実行させることを特徴とする。
【００２７】
また、本発明のコンピュータ読み取り可能な記録媒体は、上記プログラムを記録してあることを特徴とする。
【００２８】
本発明のプログラムおよび本発明の記録媒体によれば、上記番組管理方法をコンピュータによって実行させることが可能になる。
【発明の効果】
【００２９】
本発明の番組記録再生装置および本発明の番組管理方法によれば、グループ分け情報をユーザが好むように設定でき、ユーザが好むグループ分け情報を用いて番組格納部に格納された番組のグループ分けを自動的に行うので、番組格納部に格納された番組をユーザが望むグループに属させることができ、かつ、番組格納部に格納された番組のグループ分けを行う際のユーザの手間を少なくできる。よって、ユーザの手間を少なくし、かつ、番組格納部に格納された番組の中からユーザが好む場面を簡単に見つけることが可能となる。
【００３０】
また、本発明の番組記録再生装置および本発明の番組管理方法によれば、ブックマーク付与位置をユーザが好むように設定でき、かつ、ブックマークが付与された番組と同一の番組名の他の番組のそれぞれにブックマークをユーザが付与する手間を無くすことが可能となる。よって、ユーザの手間を少なくし、かつ、番組格納部に格納された番組の中からユーザが好む場面を簡単に見つけることが可能となる。
【００３１】
また、本発明のプログラムおよび記録媒体によれば、上記番組管理方法をコンピュータによって実現させることが可能となる。
【発明を実施するための最良の形態】
【００３２】
以下、本発明の一実施例を図面を参照して説明する。
【００３３】
図１は、本実施例の番組記録再生装置を示したブロック図である。
【００３４】
本実施例では、テレビジョン番組（以下「番組」と称する。）の内容をテキストにて示す情報としてデジタル衛星多チャネル放送でデータ放送として行われている、電子的なテレビジョン番組表に相当するＥＰＧ（Electronic Program Guide）データを用いる。
【００３５】
デジタル衛星多チャネル放送のユーザは、このＥＰＧデータを受信機の画面に表示して、好きな番組を探すために利用する。なお、本実施例では、番組の内容をテキストにて示す情報としてＥＰＧデータを利用しているが、番組の内容をテキストにて示す情報はＥＰＧデータに限定されるものではなく、番組の放送内容をテキストなどにより示す情報であれば本発明に適用することができる。
【００３６】
図１に示した番組記録再生装置は、例えば、番組受信機能付きパーソナルコンピュータにおいても実現でき、番組の映像および音声を映像音響データとして蓄積することで番組の録画および再生が可能である。
【００３７】
さらに、図１に示した番組記録再生装置は、放送波に含まれるＥＰＧデータを取得するとともに、ユーザが設定した番組グループ分け情報を格納し、この番組グループ分け情報と、録画した番組または録画予約された番組の内容を示すＥＰＧデータとを用いて、録画した番組または録画予約された番組のグループ分けを行う機能を備える。
【００３８】
図１において、番組記録再生装置は、アンテナ入力端子１と、チューナ２と、制御部３と、メモリ４と、入力部５と、出力部６とを含む。
【００３９】
コンピュータが読み取り可能な記録媒体としてのメモリ４は、録画した番組を格納する番組格納部４１と、ユーザにより設定された番組グループ分け情報を格納するグループ分け情報格納部４２と、番組記録再生装置、具体的には制御部３の動作を規定するプログラムが格納されている動作プログラム格納部４３とを含む。
【００４０】
出力部６は、番組の映像を表示する表示部６１と、番組の音響を出力するスピーカ６２とを含む。
【００４１】
アンテナ入力端子１は、アンテナ（不図示）を通して受信されたテレビジョン放送波が入力される。
【００４２】
チューナ２は、アンテナ入力端子１に入力されたテレビジョン放送波を用いて録画予約された番組に対応するチャンネルのテレビジョン放送波を選局し、選局したテレビジョン放送波を制御部３に出力する。
【００４３】
コンピュータ等の制御部３は、チューナ２から出力されたテレビジョン放送波から録画予約された番組（映像音響データ）およびＥＰＧデータとを取得し、取得した映像音響デデータおよびＥＰＧデータとをメモリ４内の番組格納部４１に格納する。
【００４４】
具体的には、制御部３は、番組としての映像音響データ４１ａ１と、この番組の内容を示す部分のＥＰＧデータ（番組内容データ）４１ａ２とを含む番組情報データ４１ａを番組格納部４１に格納する。また、制御部３は、ＥＰＧデータ４１ｂを番組格納部４１に格納する。
【００４５】
図２は、複数の番組情報データ４１ａ、つまり複数の番組を格納している番組格納部４１の一例を示した説明図である。なお、番組格納部４１は、ＥＰＧデータ４１ｂも格納する。
【００４６】
本実施例では、番組内容データ４１ａ２は、番組名と、番組内容説明文と、ジャンルと、放送局と、放送日時（曜日指定を含む）と、再放送番組か否かを示す再放送判別情報とを含む。なお、番組内容データ４１ａ２は、上記に限らず、適宜変更可能である。
【００４７】
入力部５は、ユーザからの入力を受け付けるものであり、例えば、マウス、リモコンまたはキー入力部により構成されている。入力部５は、例えば、ユーザから入力される番組グループ分け情報を受け付ける。この番組グループ分け情報は、制御部３により、グループ分け情報格納部４２に格納される。
【００４８】
図３は、グループ分け情報格納部４２に格納されるデータの一例を示した説明図である。
【００４９】
図３において、グループ分け情報格納部４２には、番組グループ分け情報としてのグループ情報データ４２ａと、グループ情報管理データ４２ｂとが格納される。
【００５０】
グループ情報データ４２ａは、番組格納部４１に格納された番組が登録されるグループを規定し、グループを管理するための情報である。グループ情報データ４２ａは、各グループに１つずつ設けられる。グループ情報データ４２ａは、例えば、ユーザが新たなグループを生成するために入力部５を操作した際に入力部５が受け付けた情報に基づいて生成される。
【００５１】
図４は、グループ情報データ４２ａが有する情報の一例を示した説明図である。
【００５２】
図４において、番組グループ分け情報としてのグループ情報データ４２ａは、以下に示す（１）から（９）の情報を示す。
（１）グループのグループ名を示すグループ名情報４２ａ１。
（２）グループに登録される番組を選定するための番組選定条件を示す番組選定条件情報４２ａ２。
（３）グループの識別（ＩＤ）情報４２ａ３。
（４）グループ情報データ４２ａによって規定されるグループに登録された番組を示す番組名情報（例えば、番組名）４２ａ４。
（５）グループに登録された番組数を示す番組数情報４２ａ５。
（６）グループ連続再生を開始する番組を含む番組情報データ４１ａのファイル名を示すファイル名情報４２ａ６。
（７）グループ連続再生を開始する位置の再生基準位置アドレスからの相対アドレスを示す相対アドレス情報４２ａ７。
（８）グループ連続再生を開始する位置の再生基準位置からの相対時間を示す相対時間情報４２ａ８。
（９）グループに登録された番組の順番を示した順番情報４２ａ９。なお、順番情報４２ａ９は、例えば、グループに登録された番組を表示するときの表示順、およびグループに登録された番組を連続再生するときの再生順を示す情報として使用される。
【００５３】
図５は、グループ情報管理データ４２ｂが有する情報の一例を示した説明図である。
【００５４】
図５において、グループ情報管理データ４２ｂは、以下に示す（１０）から（１２）の情報を示す。
（１０）グループ分け情報格納部４２に格納されているグループ数（グループ情報データ４２ａの数）を示すグループ数情報４２ｂ１。
（１１）各グループ（グループ情報データ４２ａ）を識別するためのグループ識別情報（例えば、各グループ名）４２ｂ２。
（１２）グループの順番を示したグループ順番情報４２ｂ３。なお、グループ順番情報４２ｂ３は、グループ分け情報格納部４２に格納されているグループを表示する際の表示順を示す情報として使用される。
【００５５】
なお、グループ情報管理データ４２ｂが、グループ情報データ４２ａの内容を含む場合、グループ情報データ４２ａを省略してもよい。
【００５６】
制御部３は、番組格納部４１に格納された番組をグループ分け情報格納部４２に格納されたグループ情報データ（グループ分け情報）４２ａに基づいてグループ分けする。
【００５７】
また、制御部３は、番組格納部４１が同一番組名の複数の番組を格納している際に、同一番組名の複数の番組の中の１つの番組においてユーザが入力部５を操作することによって指定した位置にブックマークを付与するとともに、このブックマークが付与された番組と同一の番組名の他の番組に対してそのブックマークが付与された番組のブックマーク付与位置と同じ位置にブックマークを付与する。
【００５８】
次に、動作を説明する。
【００５９】
図６は、グループ情報データ４２ａ内のグループ名情報４２ａ１および番組選定条件情報４２ａ２を設定し、これら設定した情報を有するグループ情報データ４２ａをグループ分け情報格納部４２に登録する動作を説明するためのフローチャートである。
【００６０】
以下、図６を参照して、グループ情報データ４２ａ内のグループ名情報４２ａ１および番組選定条件情報４２ａ２を設定し、これら設定した情報を有するグループ情報データ４２ａをグループ分け情報格納部４２に登録する動作を説明する。
【００６１】
ユーザが入力部５を操作することによって、入力部５から番組選定条件登録画面を表示部６１に表示させる指示信号が制御部３に供給されると、制御部３は番組選定条件登録画面を表示部６１に表示させる（ステップ６ａ）。
【００６２】
図７は、番組選定条件登録画面の一例を示した説明図である。
【００６３】
図７に示した番組選定条件登録画面７００は、グループ名情報４２ａ１が入力されるグループ名入力欄７０１と、番組選定条件情報４２ａ２が入力される番組選定条件情報入力欄７０２と、入力完了を指示する入力完了入力部７０３とを含む。
【００６４】
番組選定条件情報入力欄７０２は、番組格納部４１に格納されている番組内容データ４１ａ２またはＥＰＧデータ４１ｂが有する情報等を対象にして番組を選定する条件である番組選定条件情報４２ａ２を入力する欄である。
【００６５】
本実施例では、番組選定条件情報入力欄７０２の項目として、番組名入力欄７０２ａと、キーワード入力欄７０２ｂと、ジャンル入力欄７０２ｃと、放送局入力欄７０２ｄと、放送日時（曜日指定を含む）入力欄７０２ｅと、再放送番組か否かを示す再放送番組入力欄７０２ｆとを含む。
【００６６】
キーワード入力欄７０２ｂに入力されたキーワードは、例えば、番組内容データ４１ａ２が有する番組名および番組内容説明文およびジャンルとを対象にキーワード検索される際に用いられる。
【００６７】
番組選定条件情報４２ａ２は、番組選定条件情報入力欄７０２に入力されたすべての項目を有する番組を選定するための情報となる。
【００６８】
なお、番組選定条件情報入力欄７０２が有する番組選定条件項目は、図７に示したものに限るものではなく適宜変更可能である。
【００６９】
ユーザは、入力部５を操作して、グループ名入力欄７０１にグループ名情報４２ａ１を入力し、番組選定条件情報入力欄７０２に番組選定条件情報４２ａ２を入力する。
【００７０】
なお、本実施例では、番組選定条件情報入力欄７０２の全ての選定用項目を入力する必要はない。条件を入力しなかった項目がある場合、番組選定条件情報４２ａ２は、番組格納部４１に格納されている全ての番組がその条件を入力しなかった項目を満たすものとする選定条件になる。例えば、番組選定条件情報入力欄７０２の中でキーワード入力欄７０２ｂにだけ「ラーメン」と入力された場合は、グループ分け対象となるすべての番組の中でキーワード：「ラーメン」含む番組を選定する番組選定条件情報が生成される。
【００７１】
グループ名情報４２ａ１と番組選定条件情報４２ａ２との入力が終了すると、ユーザは入力部５を操作して入力完了入力部７０３を選択する。
【００７２】
制御部３は、入力完了入力部７０３が選択されると（ステップ６ｂ）、番組選定条件登録画面７００に入力されたグループ名情報４２ａ１と番組選定条件情報４２ａ２とを有するグループ情報データ４２ａを生成し、生成したグループ情報データ４２ａにグループＩＤ情報４２ａ３を付与し、グループＩＤ情報４２ａ３が付与されたグループ情報データ４２ａをグループ分け情報格納部４２に登録する（ステップ６ｃ）。
【００７３】
制御部３は、新たに生成されたグループ情報データ４２ａをグループ分け情報格納部４２に登録すると、グループ分け情報格納部４２に登録されているグループ情報管理データ４２ｂの登録グループ数情報４２ｂ１の値に１を加える。また、制御部３は、グループ情報管理データ４２ｂのグループ識別情報４２ｂ２に、新たに生成されたグループ情報データ４２ａのクループ名情報４２ａ１を追加登録する。また、制御部３は、グループ情報管理データ４２ｂのグループ順番情報４２ｂ３の最後の順番に、新たに生成されたグループ情報データ４２ａのクループ名を追加登録する。
【００７４】
次に、グループ分け情報格納部４２に登録されたグループ情報データ４２ａに基づいて録画した番組または録画予約した番組をグループ分けする動作を説明する。
【００７５】
図８は、録画した番組または録画予約した番組をグループ分けする動作を説明するためのフローチャートである。
【００７６】
以下、図８を参照して、録画した番組または録画予約した番組をグループ分けする動作を説明する。
【００７７】
まず、録画した番組に対してグループ分けを行う動作を説明する。
【００７８】
例えば、番組の録画が終了した際、すなわち、番組格納部４１に新たな番組情報データ４１ａが格納された際、制御部３は、新たに格納された番組情報データ４１ａが有する番組内容データ４１ａ２を読み出す。
【００７９】
続いて、制御部３は、読み出した番組内容データ４１ａ２と、グループ分け情報格納部４２に格納されている各々のグループ情報データ４２ａが有する番組選定条件情報４２ａ２とを比較する（ステップ８ａ）。
【００８０】
制御部３は、番組内容データ４１ａ２がいずれかのグループ情報データ４２ａが規定するグループの番組選定条件情報４２ａ２を満たしている場合（ステップ８ｂ）、番組内容データ４１ａ２が満たしている番組選定条件情報４２ａ２を有する全てのグループ情報データ４２ａの登録番組名情報４２ａ４に、番組内容データ４１ａ２が有する番組識別情報（例えば、番組名と放送日時とを含む情報）を登録する。この登録により、録画された番組のグループ分けがなされる（ステップ８ｃ）。
【００８１】
さらに、制御部３は、番組内容データ４１ａ２が満たしている番組選定条件情報４２ａ２を有する全てのグループ情報データ４２ａの番組数情報４２ａ５が示す番組数に１を加える。
【００８２】
なお、ステップ８ｃ終了後、制御部３は、番組内容データ４１ａ２に、番組内容データ４１ａ２が示す番組が登録されたグループのグループ名を登録するようにしてもよい。
【００８３】
また、ステップ８ｃ終了後、制御部３が、録画番組がどのグループに登録されたかを表示部６１にて表示させるようにしてもよい。なお、入力部５からの入力に基づいて録画番組が登録されるグループを変更することを可能にしてもよい。この場合、例えば、ユーザが、表示部６１で表示されるグループ分け結果に不満がある際、録画番組をユーザが望むグループに登録することが可能となる。
【００８４】
ステップ８ｂにおいて、番組内容データ４１ａ２がいずれのグループ情報データ４２ａが規定するグループの番組選定条件情報４２ａ２を満たしていない場合、制御部３は、新たに録画された番組に対するグループ分けを行わないで動作を終了する。
【００８５】
次に、番組の録画予約が行われた際に、録画予約された番組のグループ分けを行う動作を説明する。
【００８６】
ユーザが入力部５を操作して番組の録画の予約を行った際、制御部３は、録画予約された番組に対応する番組内容データ４１ａ２を番組格納部４１に格納されているＥＰＧデータ４１ｂから読み出す。
【００８７】
続いて、制御部３は、読み出した番組内容データ４１ａ２と、グループ分け情報格納部４２に格納されている各々のグループ情報データ４２ａが有する番組選定条件情報４２ａ２とを比較する（ステップ８ａ）。これ以降の動作は、録画した番組に対してグループ分けを行う動作と同様となる。
【００８８】
なお、ステップ８ｃ終了後、制御部３は、録画予約された番組が番組格納部４１に格納された際に、その番組の番組内容データ４１ａ２に、その番組が登録されているグループのグループ名を登録するようにしてもよい。
【００８９】
また、ステップ８ｂにおいて、番組内容データ４１ａ２がいずれのグループ情報データ４２ａが規定するグループの番組選定条件情報４２ａ２を満たしていない場合、制御部３は、録画予約された番組に対するグループ分けを行わないで動作を終了する。
【００９０】
また、ステップ８ｃ終了後、制御部３が、録画予約された番組がどのグループに登録されたかを表示部６１にて表示させるようにしてもよい。なお、入力部５からの入力に基づいて録画予約された番組が登録されるグループを変更することを可能にしてもよい。この場合、例えば、ユーザが、表示部６１で表示されるグループ分け結果に不満がある際、録画予約された番組をユーザが望むグループに登録することが可能となる。
【００９１】
また、図８に示した動作は、新たなグループ情報データ４２ａがグループ分け情報格納部４２に格納された際に実行してもよいし、ユーザが入力部５を操作してグループ分け指令を入力した際に実行するようにしてもよい。これらの場合、グループ分けの対象になる番組は、番組格納部４１に格納されているすべての番組とすることが望ましい。
【００９２】
上記の例では、録画した番組または録画予約された番組の番組内容データ４１ａ２が満たしている番組選定条件情報４２ａ２を有する全てのグループ情報データ４２ａの登録番組名情報４２ａ４に番組内容データ４１ａ２が有する番組識別情報を登録して、録画した番組または録画予約された番組のグループ分けを行うようにしたが、録画した番組または録画予約された番組を１つのグループ情報データ４２ａが規定するグループにのみ登録するようにしてもよい。
【００９３】
例えば、番組選定条件情報４２ａ２の中で、優先順位１が番組名、優先順位２がキーワードというように項目ごとに優先順位を予めグループ分け情報格納部４２内に設定しておき、制御部３が、録画した番組または録画予約された番組を優先順位が高い項目が一致しているグループに登録するようにしてもよい。
【００９４】
なお、一致する項目がまったく同じグループが複数存在する場合には、グループ自体の優先順位を予めグループ分け情報格納部４２内に設定しておき、制御部３が、録画した番組または録画予約された番組を優先順位が高いグループに登録するようにしてもよい。
【００９５】
制御部３は、番組格納部４１に格納してある番組の中で、同じ名前の番組が複数存在する場合、自動的にグループ情報データ４２ａを作成し、このグループ情報データ４２ａに番組格納部４１に格納してある番組の中で同じ名前の番組を登録するようにしてもよい。
【００９６】
また、制御部３は、番組格納部４１に格納してある番組の中で、同じ時間帯および同じジャンルの番組が複数存在する場合には、自動的にグループ情報データ４２ａを作成し、このグループ情報データ４２ａに番組格納部４１に格納してある番組の中で同じ時間帯および同じジャンルの番組を登録するようにしてもよい。
【００９７】
このようなグループ情報データ４２ａの自動作成機能を追加すると、番組が分けられるグループの数がふえるので、番組の管理がより高度になる。
【００９８】
また、番組の録画予約時に、録画予約された番組が登録される予定のグループを制御部３が自動的に選定し、その選定結果をユーザに知らせ、その後、ユーザが入力部５を操作して手動でグループ分けを行うようにしてもよい。この場合、ユーザが、録画予約された番組を登録するグループを登録済みのグループの中から探す手間を少なくすることが可能となる。
【００９９】
図９は、番組の録画予約時に、録画予約された番組が登録される予定のグループを制御部３が自動的に選定し、その選定結果をユーザに知らせる動作を説明するためのフローチャートである。
【０１００】
以下、図９を参照して、番組の録画予約時に、録画予約された番組が登録される予定のグループを制御部３が自動的に選定し、その選定結果をユーザに知らせる動作を説明する。
【０１０１】
例えば、番組の録画予約を行うためにユーザが入力部５を操作して、番組格納部４１からＥＰＧデータ４１ｂを読み出し、読み出したＥＰＧデータ４１ｂに基づいた番組表を表示部６１に表示させ、表示された番組表の中から録画予約を行う番組を選択した際（ステップ９ａ）、制御部３は、選択された番組の番組名をグループ名として持つグループ情報データ４２ａがグループ分け情報格納部４２に存在するかチェックする（ステップ９ｂ）。
【０１０２】
ステップ９ｂにおいて、選択された番組の番組名をグループ名として持つグループ情報データ４２ａがグループ分け情報格納部４２に存在する場合、制御部３は、選択された番組の番組名をグループ名として持つグループ情報データ４２ａのグループ名を登録予定グループ名として、表示部６１に表示させる（ステップ９ｃ）。
【０１０３】
ステップ９ｂにおいて、選択された番組の番組名をグループ名として持つグループ情報データ４２ａがグループ分け情報格納部４２に存在しない場合、制御部３は、各グループ情報データ４２ａに登録されている番組の番組名を調べ、選択された番組と同じ名前の番組が登録されているグループ情報データ４２ａがあるか否か判断する（ステップ９ｄ）。
【０１０４】
ステップ９ｄにおいて、選択された番組と同じ名前の番組が登録されているグループ情報データ４２ａがある場合、制御部３は、選択された番組と同じ名前の番組が登録されているグループ情報データ４２ａのグループ名を登録予定グループ名として、表示部６１に表示させる（ステップ９ｅ）。
【０１０５】
なお、ステップ９ｅにおいて、選択された番組と同じ名前の番組が登録されているグループ情報データ４２ａが複数ある場合、制御部３は、選択された番組と同じ名前の番組の登録数が多い方のグループ情報データ４２ａのグループ名を登録予定グループ名として、表示部６１に表示させるようにしてもよい。
【０１０６】
さらに、選択された番組と同じ名前の番組が登録されているグループ情報データ４２ａが複数あり、かつ、それらのグループ情報データ４２ａにおいて、選択された番組と同じ名前の番組の登録数が多いものが複数存在する場合、予めグループごとの優先順位をグループ分け情報格納部４２に設定しておき、制御部３は、優先順位が高く設定されている方のグループ情報データ４２ａのグループ名を登録予定グループ名として、表示部６１に表示させるようにしてもよい。
【０１０７】
ステップ９ｄにおいて、該当グループがない場合、制御部３は、この動作を終了する。
【０１０８】
なお、図９に示した動作は、図８に示した動作を行った後に実行してもよいし、図８に示した動作を行う前に実行してもよい。また、制御部３は、図９に示した動作を図８に示した動作を行った後に実行する場合、図８に示した動作を行った際にいずれのグループにも登録されなかった番組についてのみ図９に示した動作を実行するようにしてもよい。
【０１０９】
また、番組選定条件情報４２ａ２の項目として、所定回数以上録画された同一番組名の番組を選定するための録画回数設定欄を設けてもよい。
【０１１０】
この場合、例えば、番組格納部４１に録画した番組の番組名に対応する番組名カウンタをメモリ４に設け、同名の番組を録画するごとに制御部３が番組名カウンタのカウント値を１つずつ増やし、番組名カウンタのカウント値が録画回数設定欄に設定された閾値を上回ったら、制御部３が、録画した番組の中から番組名カウンタに対応する番組をすべて抽出し、抽出した番組を録画回数設定欄に閾値が設定されたグループ情報データ４２ａによって規定されるグループにも登録するようにしてもよい。
【０１１１】
なお、対応する番組名カウンタがない番組が新たに番組格納部４１に記録された場合、制御部３が、その番組に対応する番組名カウンタをメモリ４に新たに設けるようにしてもよい。
【０１１２】
また、録画回数設定欄に閾値が設定されたグループ情報データ４２ａによって規定されるグループに登録される番組が、既に他のグループ情報データ４２ａによって規定されるグループに登録されている場合、制御部３は、その番組を該他のグループ情報データ４２ａによって規定されるグループに登録させた状態で、録画回数設定欄に閾値が設定されたグループ情報データ４２ａによって規定されるグループに登録する。
【０１１３】
なお、ユーザにより録画回数設定欄に閾値が設定されたグループ情報データ４２ａがない場合でも、予め録画回数設定欄に閾値が設定されたグループ情報データ４２ａをグループ分け情報格納部４２に格納しておけば、上記の動作を制御部３が自動的に行うことができる。
【０１１４】
図１０は、番組格納部４１に格納された番組の表示の一例を示した説明図である。
【０１１５】
番組格納部４１に格納された番組の表示としては、例えば、グループ名１０１〜１０３のみを表示したり、グループ名１０１〜１０３とグループの登録されている番組名１０４〜１０６の両方を表示したりする。
【０１１６】
また、ユーザによる入力部５の操作により表示されたグループ名が指定（例えば、クリックまたはダブルクリック）された際、指定されたグループに含まれる番組の表示と非表示とを切り替えるようにしてもよい。この場合、ユーザによる入力部５の操作により指定されないグループの表示は、グループ名を表示したままにしてもよい。
【０１１７】
また、番組格納部４１に格納された番組の表示としては、グループ単位の表示と、グループに関係なく日付順にならんだ番組リスト表示とを同時に表示するようにしてもよい。
【０１１８】
また、制御部３は、グループまたは番組を、グループ管理情報データ４２ｂおよびグループ情報データ４２ａに記録されている順番情報にしたがった表示順で表示させる。
【０１１９】
なお、表示順は、以下の方法で変更することを可能にしてもよい。
【０１２０】
表示された番組名をユーザが入力部５を操作して選択し、ドラッグおよびドロップで表示場所を移動させることにより表示順を変更する。
【０１２１】
入力部５に順番変更ボタンを設け、この順番変更ボタンの押下すること、または入力部５の操作により順番変更メニューを表示させ、この順番変更メニューを選択することによって、順番変更処理画面を表示させ、この順番変更処理画面に含まれる順番変更ボタン（表示された番組名と、その前後に表示されている番組との表示順を入れ替えるボタン）を押下することにより表示順を変更する。
【０１２２】
また、制御部３は、録画した番組を再生している際に、再生している番組名とともにその番組が登録されているグループ名を表示部６１に表示させるようにしてもよい。
【０１２３】
また、制御部３は、録画した番組を再生している際に、チャンネルボタンが押下された際に、再生している番組が登録されているグループに登録されているすべての番組の番組名を表示部６１に一覧表示するようにしてもよい。
【０１２４】
本実施例によれば、グループ分け情報をユーザが好むように設定でき、ユーザが好むグループ分け情報を用いて番組格納部に格納された番組および番組格納部に格納することが予約された番組のグループ分けを自動的に行い、これらの番組をグループ分けされたグループに自動的に登録またはグループ分け結果を表示した後にユーザによる入力により登録するので、これらの番組をユーザが望むグループに簡単に属させることができ、かつ、番組のグループ分けを行う際のユーザの手間を少なくできる。よって、ユーザの手間を少なくし、かつ、番組格納部に格納された番組の中からユーザが好む場面を簡単に見つけることが可能となる。
【０１２５】
次に、本実施例のブックマーク付与処理について説明する。
【０１２６】
まず、制御部３が行うブックマーク付与処理を簡単に説明する。
【０１２７】
ユーザが入力部５を操作して、番組格納部４１に格納されている１つの番組の映像音響データ４１ａ１の所望箇所（例えば、ユーザが好むコーナーの開始位置および終了位置）にブックマークを付与すると、制御部３は、番組情報データ４１ａを用いて、ブックマークが付与された番組と同じ番組名の他の番組の映像音響データ４１ａ１に対して、ブックマークが付与された映像音響データ４１ａ１の所望箇所と同じ箇所にブックマークを自動的に付与する。
【０１２８】
次に、制御部３が行うブックマーク付与処理の使用例を説明する。
【０１２９】
グループ名「Ａ」のグループには、番組名「Ｂ」の番組が複数登録されているものとする。ユーザは、番組名「Ｂ」の番組の特定のコーナー（ただし、このコーナーは毎回ほぼ同じ時刻に開始するものとする。）をすぐに観ることができるように、番組名「Ｂ」のすべての番組の特定のコーナーの開始位置にブックマークを付与しようとする場合、番組名「Ｂ」のすべての番組のそれぞれについてブックマークを付与するのは面倒な作業となってしまう。
【０１３０】
本実施例では、番組格納部４１に格納されている１つの番組（例えば、番組名「Ｂ」の番組）の映像音響データ４１ａ１の所望箇所（例えば、特定のコーナーの開始位置）にブックマークを付与すると、制御部３は、ブックマークが付与された番組と同じ番組名の他の番組（番組名「Ｂ」の他の番組）の映像音響データ４１ａ１に対して、ブックマークが付与された映像音響データ４１ａ１の所望箇所（特定のコーナーの開始位置）と同じ箇所にブックマークを自動的に付与するので、ユーザに面倒な作業を強いることなく、ユーザが観たい場面を簡単に探すことが可能となる。
【０１３１】
なお、ブックマークの設定箇所を番組編集ポイントとして使用してもよい。
【０１３２】
図１１は、ブックマーク付与動作を説明するためのフローチャートである。以下、図１１を参照してブックマーク付与動作を説明する。
【０１３３】
ユーザが入力部５を操作して、番組格納部４１に格納されている１つの番組の映像音響データ４１ａ１の所望位置にブックマークを付与すると（ステップ１１ａ）、制御部３は、ブックマークが付与された番組の録画開始地点を基準としたブックマーク付与位置の相対時刻、相対フレーム数および相対オフセット位置（ブックマークが付与された番組の録画開始地点からのバイト数）をブックマーク位置情報として取得する（ステップ１１ｂ）。
【０１３４】
制御部３は、ステップ１１ｂで取得したブックマーク位置情報を、ブックマークが付与された映像音響データ４１ａ１の番組内容を示す番組内容データ４１ａ２に格納し、ブックマークが付与された映像音響データ４１ａ１のブックマーク位置情報を管理する（ステップ１１ｃ）。
【０１３５】
制御部３は、番組内容データ４１ａ２に格納したブックマーク位置情報および他の番組の番組内容データ４１ａ２とを用いて、ブックマークが付与された番組と同じ番組名の他の番組の映像音響データ４１ａ１に対してブックマークが付与された映像音響データ４１ａ１の所望位置と同じ位置にブックマークを自動的に付与する（ステップ１１ｄ）。
【０１３６】
具体的には、制御部３は、ブックマークが付与された番組と同じ番組名の他の番組の番組内容を示す番組内容データ４１ａ２のそれぞれに、ブックマークが付与された番組の番組内容データ４１ａ２に格納したブックマーク位置情報を格納する。
【０１３７】
番組内容データ４１ａ２に格納したブックマーク位置情報は、番組内の特定箇所の再生および編集に用いられる。
【０１３８】
なお、上記の例では、ブックマークが付与された番組と同じ番組名の他の番組にブックマークを付与する際、ブックマークが付与された番組の録画開始地点を基準とした相対的な時間（番組経過時間）が同じとなる地点にブックマークを付与するようにしているが、ブックマークの付与の仕方はこれに限るものではない。
【０１３９】
例えば、ユーザによる入力部５の操作により、番組格納部４１に格納されている特定の番組にブックマークが付与された際、制御部３が、ブックマークが付与された地点のフレーム（画面構成）を読み込み、ブックマークが付与された番組と同じ番組名の他の番組にブックマークを付与する際、ブックマークが付与された番組と同じ番組名の他の番組のフレーム（画面構成）の中で、読み込んだフレーム（画面構成）と最も表示内容が近いフレーム（画面構成）が存在する位置にブックマークを付与するようにしてもよい。
【０１４０】
フレーム（画面構成）に基づいてブックマークを付与する場合、例えば、同一の番組名の複数の番組において特定のコーナーが特定のフレームから始まるようなケースでは、同一の番組名の複数の番組の中の１つの番組の特定のコーナーの開始部分にブックマークを付与すれば、同一番組名の他の番組において特定のコーナーの開始時間が異なることがあっても、特定のコーナーの開始部分にブックマークを付与することが可能となる。
【０１４１】
なお、この場合のブックマーク位置情報は、番組の録画開始地点を基準とした、読み込んだフレームと最も表示内容が近いフレーム位置の相対時刻、相対フレーム数および相対オフセット位置を用いることができる。
【０１４２】
また、同一番組名の番組が１つのグループに登録されている際には、そのグループ内で図１１に示したようなブックマーク付与動作を行えばよい。
【０１４３】
図１２は、本実施例のブックマーク付与処理の一例を説明するための説明図である。
【０１４４】
図１２において、番組名が「Ａ」の第１回の番組の映像音響データ（以下「番組Ａ第１回」と称する。）１２１と、番組名が「Ａ」の第２回の番組の映像音響データ（以下「番組Ａ第２回」と称する。）１２２と、番組名が「Ａ」の第３回の番組の映像音響データ（以下「番組Ａ第３回」と称する。）１２３とが共通のグループの登録されているものとする。
【０１４５】
図１２の状態で、ユーザが入力部５を操作して、番組Ａ第１回１２１の中のユーザが好きなコーナーの開始位置１２１ａおよび終了位置１２１ｂにブックマークを付与すると、制御部３は、ブックマークが付与された番組と同じ番組名の他の番組である番組Ａ第２回１２２の中のユーザが好きなコーナーの開始位置１２２ａおよび終了位置１２２ｂにブックマークを付与し、さらに、ブックマークが付与された番組と同じ番組名の他の番組である番組Ａ第３回１２２の中のユーザが好きなコーナーの開始位置１２２ａおよび終了位置１２２ｂにブックマークを付与する。
【０１４６】
本実施例によれば、ブックマーク付与位置をユーザが好むように設定でき、かつ、ブックマークが付与された番組と同一の番組名の他の番組のそれぞれにブックマークをユーザが付与する手間を無くすことが可能となる。よって、ユーザの手間を少なくし、かつ、番組格納部に格納された番組の中からユーザが好む場面を簡単に見つけることが可能となる。
【０１４７】
なお、本発明は上記の構成に限るものではなく、要旨を変更しない範囲で適宜変更可能である。
【０１４８】
例えば、入力部５が番組（映像音響データ）入力部を有している場合、番組格納部４１に格納される番組（映像音響データ）は、入力部５から入力された番組（映像音響データ）であってもよい。
【図面の簡単な説明】
【０１４９】
【図１】本発明の一実施例の番組記録再生装置を示したブロック図である。
【図２】番組格納部４１の一例を示した説明図である。
【図３】グループ分け情報格納部４２の一例を示した説明図である。
【図４】グループ情報データ４２ａの一例を示した説明図である。
【図５】グループ情報管理データ４２ｂの一例を示した説明図である。
【図６】図１に示した番組記録再生装置の動作を説明するためのフローチャートである。
【図７】番組選定条件登録画面の一例を示した説明図である。
【図８】図１に示した番組記録再生装置の動作を説明するためのフローチャートである。
【図９】図１に示した番組記録再生装置の動作を説明するためのフローチャートである。
【図１０】表示部６１の番組表示の一例を示した説明図である。
【図１１】図１に示した番組記録再生装置の動作を説明するためのフローチャートである。
【図１２】図１に示した番組記録再生装置の動作を説明するための説明図である。
【符号の説明】
【０１５０】
１      アンテナ入力端子
２      チューナ
３      制御部
４      メモリ
４１    番組格納部
４２    グループ分け情報格納部
４３    動作プログラム格納部
５      入力部
６      出力部
６１    表示部
６２    スピーカ
【図１】
2005102058.tif 000003
【図２】
2005102058.tif 000004
【図３】
2005102058.tif 000005
【図４】
2005102058.tif 000006
【図５】
2005102058.tif 000007
【図６】
2005102058.tif 000008
【図７】
2005102058.tif 000009
【図８】
2005102058.tif 000010
【図９】
2005102058.tif 000011
【図１０】
2005102058.tif 000012
【図１１】
2005102058.tif 000013
【図１２】
2005102058.tif 000014